(57)【要約】【課題】強押しに耐えることができるとともに、軽い操作力で操作でき、しかも省スペースが実現できるフックボタン装置を提供する。【解決手段】本体１０の案内筒１１と、案内筒１１の下端部に係止するフランジ２１を備えるとともに下端部に傾斜面２３を有し、案内筒１１に沿って昇降するフックボタン２と、フックボタン２の傾斜面２３の下端部２３Ａが係止する傾斜面４２を有し傾動するレバー４１と、レバー４１の傾動動作によって通話待ち状態及び通話状態を切替えるフックスイッチ４とを備えた。【選択図】　図１
2004129050.tif 000002
【特許請求の範囲】
【請求項１】
本体に着脱自在に設けられたハンドセットの着脱動作に連動して通話待ち状態及び通話状態を切替えるフックボタン装置であって、
前記本体に設けた案内筒と、
この案内筒の下端部に係止するフランジを備えるとともに下端部に傾斜面を有し、前記案内筒に沿って昇降するフックボタンと、
このフックボタン下端部が係止する傾斜面を有し前記フックボタンの押下動作によって傾動するレバーと、
このレバーの傾動動作によって前記通話待ち状態及び通話状態を切替えるフックスイッチと
を備えたことを特徴とするフックボタン装置。
【請求項２】
前記フックスイッチのレバーと当接する前記フックボタンの前記傾斜面の水平方向に対する傾斜角度は、前記フックボタンの最降下位置での前記レバーの傾斜面の水平方向に対する傾斜角度よりも大きいことを特徴とする請求項１に記載のフックボタン装置。
【請求項３】
前記フランジ部は、前記フックボタンの最降下位置のときに前記フックスイッチのハウジング天面と所定の微小隙間間隔を保持するとともに、前記フックボタンの最上昇位置のときに前記本体の前記案内筒の下端面に当接するように、前記フックボタンの所定位置に設けたことを特徴とする請求項１又は２に記載のフックボタン装置。
【発明の詳細な説明】
【０００１】
【発明の属する技術分野】
本発明は、ハンドセット（送受話器）の着脱動作に連動して通話待ち状態及び通話可能状態を切替えるフックボタン装置に関する。
【０００２】
【従来の技術】
通常、電話機には、この電話機に設けたハンドセットを持ち上げると、通話待ち状態から通話可能状態に自動的に切替わるようにするため、フックボタン装置が設けられている。
【０００３】
このフックボタン装置には、フックボタンがハンドセットの着脱動作に連動して支軸を中心に回動する構成の回動型のものが知られている（例えば、特許文献１参照。）。この回動型のフックボタン装置は、フックボタンに腕状のアーム部材を設けるとともに、このアーム部材の一部に支軸を取付けてこの支軸を中心に回動するように構成したものであり、アーム部材が長尺であるので、その分ある程度大きなスペースが必要である。
【０００４】
そこで、フックボタンがハンドセットの着脱動作に連動して電話機の本体内部を上下に移動する直進運動型のフックボタン装置も開発されている。この直進運動型のフックボタン装置は、回動型より省スペースに構成できるので、その点では都合がよいが、フックボタン装置のオン・オフの切換動作に、比較的大きな操作力を必要としている。
【０００５】
そこで、例えば梃子の原理を一部に利用して作動荷重を低減させるために、先端がフックボタンに係合・当接するレバーを設けた構成のものも知られている（例えば、特許文献２参照。）。このような構成のフックボタン装置にあっては、このフックボタンの押下動作でレバーを傾動させ、このレバーの傾動動作によってフックスイッチのオン・オフ動作を行わせるような構成となっている。
【０００６】
【特許文献１】
実開昭６３−８３８４６号公報（図３参照）
【０００７】
【特許文献２】
特開昭６３−２７８４４９号公報（図１参照）
【０００８】
【発明が解決しようとする課題】
しかしながら、このような構成のフックボタン装置では、フックボタンの強押し時にフックボタンからフックスイッチのレバー先端部が脱落し、復帰しなくなることがある、という問題を生じていた。
【０００９】
本発明は、このような問題を解決するためになされたもので、強押しに耐えることができるとともに、軽い操作力で操作でき、しかも省スペースが実現できるフックボタン装置を提供することを目的とするものである。
【００１０】
【課題を解決するための手段】
上記課題を解決するために、本発明のフックボタン装置は、本体に着脱自在に設けられたハンドセットの着脱動作に連動して通話待ち状態及び通話状態を切替えるフックボタン装置であって、
前記本体に設けた案内筒と、
この案内筒の下端部に係止するフランジを備えるとともに下端部に傾斜面を有し、前記案内筒に沿って昇降するフックボタンと、
このフックボタン下端部が係止する傾斜面を有し前記フックボタンの押下動作によって傾動するレバーと、
このレバーの傾動動作によって前記通話待ち状態及び通話状態を切替えるフックスイッチと
を備えた構成としている。
【００１１】
この構成によれば、フックボタンの傾斜面の下端部（作動部）がフックスイッチに付設したレバーの先端近傍に当接するような配置関係で形成することにより、梃子でのモーメントの腕に相当する部分を長く確保することができ、その分、フックボタンの押圧に必要な操作力（荷重）を低減することができる。
【００１２】
しかも、フックボタンの強押し時にフックボタンの下端部（作動部）がフックスイッチのレバーの先端から脱落したとしても、フックボタンの傾斜面がフックスイッチの傾斜面に当接することにより、フックボタンがフックスイッチから完全脱落するのを回避することができる。
【００１３】
また、本発明のフックボタン装置は、前記フックスイッチのレバーと当接する前記フックボタンの前記傾斜面の水平方向に対する傾斜角度が、前記フックボタンの最降下位置での前記レバーの傾斜面の水平方向に対する傾斜角度よりも大きな構成となっている。
【００１４】
この構成によれば、フックボタンの通常の動作範囲では、フックボタンの傾斜面がフックスイッチのレバーの傾斜面と面接触せず、フックボタンの傾斜面の先端部のみがフックスイッチのレバーの傾斜面と点接触するので、梃子のモーメントの腕に相当する部分を長く確保することができ、フックボタンのストロークの最終動作まで低荷重が実現できる。
【００１５】
また、本発明のフックボタン装置は、前記フランジ部が、前記フックボタンの最降下位置のときに前記フックスイッチのハウジング天面と所定の微小隙間間隔を保持するとともに、前記フックボタンの最上昇位置のときに前記本体の前記案内筒の下端面に当接するように、前記フックボタンの所定位置に設けた構成となっている。
【００１６】
この構成によれば、フックボタンの過度の強押し時に、各構成部品が撓むなどしても、フックボタンに設けたフランジがフックスイッチのハウジング天面に当接することにより、フックボタンの降下動作が一定位置で止まることができるので、フックボタンがフックスイッチのレバーから脱落するのを防止できる。
【００１７】
【発明の実施の形態】
以下、本発明の一実施の形態について、添付図面を参照しながら詳細に説明する。
【００１８】
図１及び図２は本発明の一実施形態に係るフックボタン装置１の構成を示すものであり、このフックボタン装置１には、大略構成として、フックボタン２と、フックスイッチ４と、レバー４１とを備えている。
【００１９】
フックボタン２は、図２に示すハンドセット５が収まる本体１０の凹部１０Ａに設けた案内筒１１に取付けられており、ハンドセット５の送話部（又は受話部）を設けた突出部分５Ａに押し出されることにより、案内筒１１内周面に沿って奥部（下）方向に直進移動するように構成されている。
【００２０】
このフックボタン２には、略筒状の本体部分の下端部にフランジ２１を介して突起部２２を設けており、案内筒１１の端部にフランジ２１が係止するようになっているとともに、突起部２２が案内筒１１から突出して後述のレバー４１に当接・係止するようになっている。
【００２１】
フランジ２１は、ハンドセット５が本体１０の凹部１０Ａから持ち上げられた脱出状態（電話の通話中）のときに、後述の復帰ばねによりレバー４１の上方への戻り動作で押し上げられるようになっているが、案内筒１１の下端面１１Ａに当接することで、上方への位置規制がなされており、例えば、図１に示す状態がフックボタン２の最上昇点状態となっている。
【００２２】
一方、突起部２２には、傾斜面２３が形成されており、図１に示すフックボタン２の最上昇点状態では、傾斜面２３の最下端部である作動部２３Ａのみがレバー４１に係止するような状態で形成されている。
【００２３】
このフックボタン２側の作動部２３Ａは、フックスイッチ４のレバー４１の先端部近傍（後述する従動部４２Ａ）に当接するようになっており、梃子のモーメントの関係から、レバー４１の腕の長さを最大限有効に利用し、図２に示すように、軽い操作力でもフックスイッチ４に対して確実なスイッチ動作を行えるように構成されている。
【００２４】
なお、この図２の状態では、突起部２２の傾斜面２３は、フックスイッチ４のレバー４１上面の傾斜角度βより大きな角度（やや鋭角）αに形成されているため、レバー４１上面に接していない。
【００２５】
フックスイッチ４は、本体１０内部のプリント基板３上に実装されており、これに装着されたレバー４１の傾動動作によってオン・オフするようになっている。
【００２６】
レバー４１は、図示外の復帰ばねが付設されており、上方へ起き上がる回動力が作用しているため、フックボタン２の押下力が作用していない場合には、図１に示す状態を保持している。
【００２７】
また、このレバー４１は、上面が傾斜面４２を形成しているとともに、この傾斜面４２の先端部が従動部４２Ａを構成しており、ハンドセット５を本体１０に収めたときにハンドセット５の自重によるフックボタン２の突起部２２の押下動作により、従動部４２Ａも押下・傾動され、フックスイッチ４がオフ動作するように構成されている。
【００２８】
なお、前述したように、フックスイッチ４のレバー４１と当接するフックボタン２の傾斜面２３の水平方向に対する角度αの方が、図２に示すフックボタン２の最降下位置でのレバー４１の傾斜面４２の水平方向に対する傾斜角度βよりも大きくなるように形成・配置された構成となっている。
【００２９】
次に、この実施の形態に係るフックボタン装置１の作用について説明する。
【００３０】
（１）通話動作（図１）の場合：
ハンドセット５を持ち上げると、ハンドセット５の押下力が作用しなくなるので、レバー４１に付設した図示外の復帰ばねにより、図１に示す状態まで、フックボタン２が押し上げられる。すると、このレバー４１の上方へ（時計回り）の回動動作により、フックスイッチ４がオン動作して、通話可能状態が設定される。
【００３１】
（２）非通話動作（図２）の場合：
通話を終了した後に、ハンドセット５を本体１０の所定位置に戻すと、例えば本体１０の凹部１０Ａに送話部（又は受話部）が収まるので、本体１０の重力がフックボタン２に作用する。
【００３２】
即ち、ハンドセット５による押下力が発生して、これがフックボタン２の突出部２２を介してレバー４１の先端部である従動部４２Ａに作用する。その結果、図２に示すように、レバー４１が下方へ向けて傾動動作するので、フックスイッチ４がオフ動作して、通話不可状態が設定される。
【００３３】
（３）フックボタン２を強押しする（図３）場合：
通常操作時の動作範囲を越えてフックボタン２が強押しされると、図３に示すように、フックボタン２の突出部２２の先端部である作動部２３Ａフックスイッチ４のレバー４１の傾斜面（上面）４２から離間・脱落した状態となる。
【００３４】
ところが、突出部２２の下面である傾斜面２３がフックスイッチ４のレバー４１の傾斜面（上面）４２に当接している。このため、フックボタン２の突出部２２がフックスイッチ４のレバー４１から完全に脱落して復帰しなくなる、といったトラブルを招くようなことはない。
【００３５】
（４）フックボタン２を過度に強押しする（図４）場合：
強押し動作を越えた過度の押込力でフックボタン２を強押しすると、図４に示すように、フックボタン２がさらに下降するとともに、プリント基板３をはじめ各構成部品が撓む。そして、フックボタン２の傾斜面２３の上端部２３Ｂがレバー４１の傾斜した傾斜面（上面）４２を滑動しながら、左下方へ移動していく。
【００３６】
そして、フックボタン２に設けたフランジ２１の下面側の周縁部２１Ａが、フックスイッチ４の天面４Ａに当接した状態のところで、フックボタン２の下降動作が阻止されるので、そのままこの状態で静止する。
【００３７】
従って、フランジ２１がストッパとして作用し、フックボタン２レバー４１から脱落して復帰しなくなることを確実に防止している。
【００３８】
【発明の効果】
以上のように、本発明のフックボタン装置は、本体の案内筒と、案内筒の下端部に係止するフランジを備えるとともに下端部に傾斜面を有し、案内筒に沿って昇降するフックボタンと、フックボタン下端部が係止する傾斜面を有し傾動するレバーと、レバーの傾動動作によって通話待ち状態及び通話状態を切替えるフックスイッチとを備えており、フックボタンの傾斜面の端部寄りがレバーの上面の端部寄りを押下することで、梃子の原理を利用してモーメントの腕に対応する長さを最大限に確保することができるので、軽い操作力で確実にフックスイッチを作動させることができる。
【００３９】
しかも、本発明では、フックボタンの傾斜面の端部を利用してフックスイッチのオン動作を行うように構成しているので、フックボタンの下降動作をできるだけ長くストローク動作として確保してフックスイッチのオン動作に利用できるので、小さな操作力で操作できるとともに、上下限られたスペース内でも大きく確実なスイッチ動作が得られるので、フックボタン装置の省スペース化を図ることも可能となる。
【００４０】
また、この発明によれば、フランジがストッパとして作用し、過度の強押しによるボタン操作に対しても、一定ストロークを越えてフックボタンが下降するのを阻止しているので、過度の強押し力にも耐え得るフックボタン装置が実現できるという効果も得られる。
【図面の簡単な説明】
【図１】本発明の実施の形態に係るフックボタン装置において、フックボタンが最上昇点のときの状態を示す断面図である。
【図２】本発明の実施の形態に係るフックボタン装置において、フックボタンが通常動作範囲内で下降しきったときの状態を示す断面図である。
【図３】本発明の実施の形態に係るフックボタン装置において、フックボタンが強押しされてフックボタンの傾斜面がフックスイッチのレバーに当接した状態を示す断面図である。
【図４】本発明の実施の形態に係るフックボタン装置において、フックボタンが過度に強押しされてフックボタンのフランジがフックスイッチ天面に当接した状態を示す断面図である。
【符号の説明】
１　　　フックボタン装置
１０　　本体
１０Ａ　凹部
１１　　案内筒
１１Ａ　下端部
２　　　フックボタン
２１　　フランジ
２１Ａ　（下面側の）周縁部
２２　　突出部
２３　　傾斜面
２３Ａ　（フックボタンの）作動部
３　　　プリント基板
４　　　フックスイッチ
４Ａ　　天面
４１　　レバー
４２　　傾斜面
４２Ａ　（レバーの）従動部
５　　　ハンドセット
５Ａ　　突出部分（送話部又は受話部）
【図１】
2004129050.tif 000003
【図２】
2004129050.tif 000004
【図３】
2004129050.tif 000005
【図４】
2004129050.tif 000006